【手続補正書】
【提出日】平成28年9月1日(2016.9.1)
【手続補正１】
【補正対象書類名】特許請求の範囲
【補正対象項目名】全文
【補正方法】変更
【補正の内容】
【特許請求の範囲】
【請求項１】
ビデオデータのビットストリームを処理する方法であって、前記ビデオデータは、複数の動作点を定義するパラメータセットを備え、ここにおいて、各動作点は、２つ以上のレイヤを含み、前記ビデオデータの独立に復号可能であるサブビットストリームに対応し、前記方法は、
前記動作点に含まれる最大レイヤ識別（ＩＤ）値の表示を受信することと、
動作点ごとに、前記最大レイヤＩＤ値未満のレイヤＩＤ値を有する第１のレイヤのためのフラグを受信することと、
前記フラグの値に基づいて、前記第１のレイヤが前記動作点に含まれるかどうかを決定することと
を備える方法。
【請求項２】
複数の動作点を定義するパラメータセットを含むための、ビデオデータのビットストリームを符号化する方法であって、ここにおいて、各動作点は、２つ以上のレイヤを含み、前記ビデオデータの独立に復号可能であるサブビットストリームに対応し、前記方法は、
前記ビデオデータについて、複数の動作点を決定することと、
動作点ごとに、最大レイヤ識別（ＩＤ）値の表示を生成することと、
動作点ごとに、前記最大レイヤＩＤ値未満のレイヤＩＤ値を有する第１のレイヤのためのフラグを生成することと
を備え、ここにおいて前記フラグの値は前記第１のレイヤが前記それぞれの動作点に含まれるかどうかをシグナリングする、方法。
【請求項３】
ゼロと前記最大レイヤＩＤ−１との間の各レイヤＩＤ値のフラグを受信すること、ここにおいて各フラグの値は各レイヤが前記動作点に含まれるかどうかを示す、
をさらに備える請求項１に記載の方法、または、
ゼロと前記最大レイヤＩＤ−１との間の各レイヤＩＤ値のフラグを生成すること、ここにおいて各フラグの値は各レイヤが前記動作点に含まれるかどうかを示す、
をさらに備える請求項２に記載の方法。
【請求項４】
前記フラグの第１の値は前記第１のレイヤが前記動作点に含まれることを示し、前記フラグの第２の値は前記第１のレイヤが前記動作点に存在しないことを示す、および／または
前記動作点は動作点識別値を備え、前記動作点識別値は前記ビデオデータにおいて識別される１組の復号パラメータに関連付けられる、および／または
ビデオパラメータセットが前記フラグおよび前記最大レイヤ識別（ＩＤ）値の前記表示を備える、請求項１または請求項２に記載の方法。
【請求項５】
前記動作点のための前記最大レイヤＩＤ値の前記表示を受信することは、前記最大レイヤＩＤ値を識別するシンタックス要素を受信することを備える、請求項１に記載の方法、または
前記動作点のための前記最大レイヤＩＤ値の前記表示を生成することは、前記最大レイヤＩＤ値を識別するシンタックス要素を生成することを備える、請求項２に記載の方法。
【請求項６】
前記動作点のための前記最大レイヤＩＤ値の前記表示を受信することは、最大可能レイヤＩＤ値を決定することを備える、請求項１に記載の方法、または
前記動作点のための前記最大レイヤＩＤ値の前記表示を受信することは、最大可能レイヤＩＤ値を決定することを備える、請求項２に記載の方法。
【請求項７】
前記方法がメディアアウェアネットワーク要素（ＭＡＮＥ）によって行われ、前記方法は、
前記第１のレイヤが前記動作点に含まれることに応答して、レイヤＩＤシンタックス要素を備えるネットワークアブストラクションレイヤ（ＮＡＬ）ユニットを識別すること、ここにおいて前記レイヤＩＤシンタックス要素の値が前記第１のレイヤに対応する、をさらに備える請求項１に記載の方法、または
前記方法はビデオ符号器によって行われる、請求項２に記載の方法。
【請求項８】
ビデオデータのビットストリームを処理するための装置であって、前記ビデオデータは、複数の動作点を定義するパラメータセットを備え、ここにおいて、各動作点は、２つ以上のレイヤを含み、前記ビデオデータの独立に復号可能であるサブビットストリームに対応し、前記装置は、
前記動作点に含まれる最大レイヤ識別（ＩＤ）値の表示を受信するための手段と、ここにおいて前記動作点は、前記ビデオデータの独立に復号可能であるサブビットストリームを備えかつ２つ以上のレイヤを備える、
動作点ごとに、前記最大レイヤＩＤ値未満のレイヤＩＤ値を有する第１のレイヤのためのフラグを受信するための手段と、
前記それぞれの動作点について、前記フラグの値に基づいて、前記第１のレイヤが前記動作点に含まれるかどうかを決定するための手段と
を備える装置。
【請求項９】
ビデオデータのビットストリームを処理するための装置であって、前記ビデオデータは、複数の動作点を定義するパラメータセットを備え、ここにおいて、各動作点は、２つ以上のレイヤを含み、前記ビデオデータの独立に復号可能であるサブビットストリームに対応し、前記装置は、
前記ビデオデータについて、複数の動作点を決定することと、動作点ごとに、最大レイヤ識別（ＩＤ）値の表示を生成することと、動作点ごとに、前記最大レイヤＩＤ値未満のレイヤＩＤ値を有する第１のレイヤのためのフラグを生成することとを行うように構成されたビデオエンコーダを備え、ここにおいて前記フラグの値は前記第１のレイヤが前記それぞれの動作点に含まれるかどうかをシグナリングする、装置。
【請求項１０】
ゼロと前記最大レイヤＩＤ−１との間の各レイヤＩＤ値のフラグを受信するための手段をさらに備え、ここにおいて各フラグの値は各レイヤが前記動作点に含まれるかどうかを示す、請求項８に記載の装置、または
前記ビデオエンコーダはさらにゼロと前記最大レイヤＩＤ−１との間の各レイヤＩＤ値のフラグを生成するように構成され、ここにおいて各フラグの値は各レイヤが前記動作点に含まれるかどうかを示す、請求項１０に記載の装置。
【請求項１１】
前記フラグの第１の値は前記第１のレイヤが前記動作点に含まれることを示し、前記フラグの第２の値は前記第１のレイヤが前記動作点に存在しないことを示す、および／または
前記動作点は動作点識別値を備え、前記動作点識別値は前記ビデオデータにおいて識別される１組の復号パラメータに関連付けられる、および／または
ビデオパラメータセットが前記フラグおよび前記最大レイヤ識別（ＩＤ）値の前記表示を備える、請求項８または請求項９に記載の装置。
【請求項１２】
前記動作点のための前記最大レイヤＩＤ値の前記表示を受信するための前記手段は、前記最大レイヤＩＤ値を識別するシンタックス要素を受信するための手段を備える、請求項８に記載の装置、または
前記ビデオコーダは、前記最大レイヤＩＤ値を識別するシンタックス要素を生成することによって、前記動作点のための前記最大レイヤＩＤ値の前記表示を生成するように構成される、請求項９に記載の装置。
【請求項１３】
前記動作点のための前記最大レイヤＩＤ値の前記表示を受信するための前記手段は、最大可能レイヤＩＤ値を決定するための手段を備える、請求項８に記載の装置、または
前記ビデオエンコーダは、最大可能レイヤＩＤ値を決定することによって、前記動作点のための前記最大レイヤＩＤ値の前記表示を生成するように構成される、請求項９に記載の装置。
【請求項１４】
前記装置はメディアアウェアネットワーク要素（ＭＡＮＥ）を備え、前記装置は、前記第１のレイヤが前記動作点に含まれることに応答して、レイヤＩＤシンタックス要素を備えるネットワークアブストラクションレイヤ（ＮＡＬ）ユニットを識別するための手段をさらに備え、ここにおいて前記レイヤＩＤシンタックス要素の値は前記レイヤに対応する、および／または
前記装置は、
集積回路と、
マイクロプロセッサと、
前記ビデオデコーダを含むワイヤレス通信デバイスと
のうちの少なくとも１つを備える、請求項８に記載の装置。
【請求項１５】
１つまたは複数のプロセッサによって実行されると、前記１つまたは複数のプロセッサに、
請求項１乃至８のうちの何れか１項に記載の方法を行わせる、複数の命令を記憶したコンピュータ可読記憶媒体。